(57)【要約】      （修正有）【課題】プレゼント等を送る場合に、より楽しいツールとしてのＱＲコード（登録商標）付メッセージカードを提供する。【解決手段】メッセージカード本体と、メッセージカード本体に付したＱＲコードとからなるＱＲコード付メッセージカードに関するもので、該ＱＲコードは送り手側でウエブサーバのウエブページに送り手から受取人へのメッセージをアップロードし、アップロードしたウエブページのＵＲＬをＱＲコード化して得られるＱＲコードであり、送り手から送られたＱＲコード付メッセージカードの受取人は携帯電話でＱＲコードを撮像部で読み込み、解析されたＵＲＬにアクセスしてウエブサーバのウエブページにアップロードされている送り手から受取人へのメッセージを受信することを可能とするＱＲコードである。【選択図】図１
0003176725.tif 000002
【実用新案登録請求の範囲】
【請求項１】
メッセージカード本体と、メッセージカード本体に付したＱＲコード（登録商標）とからなるＱＲコード付メッセージカードであって、該ＱＲコードは送り手側でウエブサーバのウエブページに送り手から受取人へのメッセージをアップロードし、アップロードしたウエブページのＵＲＬをＱＲコード化して得られるＱＲコードであり、送り手から送られたＱＲコード付メッセージカードの受取人は携帯電話でＱＲコードを撮像部で読み込み、解析されたＵＲＬにアクセスしてウエブサーバのウエブページにアップロードされている送り手から受取人へのメッセージを受信することを可能とする、ＱＲコード付メッセージカードを提供する。
【請求項２】
プレゼントと、ＱＲコード付メッセージカードと、送り手から受取人への配送指示書とからなるプレゼントセットであって、ＱＲコード付メッセージカードはメッセージカード本体と、メッセージカード本体に付したＱＲコードとからなり、該ＱＲコードは送り手側でウエブサーバのウエブページに送り手から受取人へのメッセージをアップロードし、アップロードしたウエブページのＵＲＬをＱＲコード化して得られるＱＲコードであり、送り手から送られたＱＲコード付メッセージカードの受取人は携帯電話でＱＲコードを撮像部で読み込み、解析されたＵＲＬにアクセスしてウエブサーバのウエブページにアップロードされている送り手から受取人へのメッセージを受信することを可能とするＱＲコードである、プレゼントセット。
【請求項３】
前記プレゼントが、花屋の花から選定して作られる花束である、請求項２のプレゼントセット。
【考案の詳細な説明】
【技術分野】
【０００１】
本考案は、カードにＱＲコードを付したＱＲコード付メッセージカードに関するもので、送り手側で作成されたＱＲコード付メッセージカードを花等のプレゼントと一緒に受取人側に送り、受取人側で携帯電話によりＱＲコードを撮影してウエブサーバのウエブページにアクセスし、アップロードされている送り手から受取人へのメッセージを受信することを可能とする。
【背景技術】
【０００２】
従来、花束をフラワーギフトとして送る際に、送り手の求めに応じて花屋側が花束を作成して、それを希望の配送先へ送り届けるというサービスであった。その際に、花束と一緒にメモや手紙等を添えて送ることも頻繁に行われていた。
【考案の概要】
【考案が解決しようとする課題】
【０００３】
しかしながら、メモや手紙等では伝えられる情報は限られている。また、例えば、花屋で送り手が自ら花を選定する様子や、花束を自ら造る様子をビデオで撮って、そのビデオ画像を一緒に送ることができれば、花のプレゼントを2倍、3倍に楽しむことが可能となる。本考案は、このような状況に鑑みて、プレゼント等を送る場合に、より楽しいツールとしてのＱＲコード付メッセージカードを提供することを目的とする。
【課題を解決するための手段】
【０００４】
上記目的を達成する為、本考案は、メッセージカード本体と、メッセージカード本体に付したＱＲコードとからなるＱＲコード付メッセージカードであって、該ＱＲコードは送り手側でウエブサーバのウエブページに送り手から受取人へのメッセージをアップロードし、アップロードしたウエブページのＵＲＬをＱＲコード化して得られるＱＲコードであり、送り手から送られたＱＲコード付メッセージカードの受取人は携帯電話でＱＲコードを撮像部で読み込み、解析されたＵＲＬにアクセスしてウエブサーバのウエブページにアップロードされている送り手から受取人へのメッセージを受信することを可能とする、ＱＲコード付メッセージカードを提供する。ここに、送り手側とは、送り手に代行してＱＲコード付メッセージカードを作成する代行業者も含まれる。
【０００５】
さらに、本考案は、プレゼントと、ＱＲコード付メッセージカードと、送り手から受取人への配送指示書とからなるプレゼントセットに関し、ＱＲコード付メッセージカードはメッセージカード本体と、メッセージカード本体に付したＱＲコードとからなり、該ＱＲコードは送り手側でウエブサーバのウエブページに送り手から受取人へのメッセージをアップロードし、アップロードしたウエブページのＵＲＬをＱＲコード化して得られるＱＲコードであり、送り手から送られたＱＲコード付メッセージカードの受取人は携帯電話でＱＲコードを撮像部で読み込み、解析されたＵＲＬにアクセスしてウエブサーバのウエブページにアップロードされている送り手から受取人へのメッセージを受信することを可能とするＱＲコードである、プレゼントセットを提供する。ここに、プレゼントセットを作成する場合には、送り手には、送り手に代行してＱＲコード付メッセージカードを作成し、プレゼントセットを作成する代行業者も含まれる。
【０００６】
本考案のプレゼントセットは、プレゼントが花屋の花から選定して作られる花束とすることができる。
【考案の効果】
【０００７】
本考案のＱＲコード付メッセージカードでは、送り手側でウエブサーバのウエブページにアップロードした送り手から受取人へのメッセージにアクセスするためのＵＲＬを受取人にＱＲコードの形で送り、ＱＲコード付メッセージカードの受取人は携帯電話を介してウエブサーバの当該ウエブページのメッセージを随時受信することが可能となる。また、当該ウエブページの容量は通常非常に大きいので、送り手で撮像した動画や種々のレター、写真等のメッセージを送ることが可能となり、多種多様の楽しみ方を可能とする。ＵＲＬは非常に長い連続乱数文字なので、送り手が意図した受取人以外の者はＵＲＬを類推してそのＵＲＬでアクセスして当該メッセージを読み取ることは不可能であり、プライベートな私信メッセージ伝達手段としての価値は非常に高い。
【０００８】
さらに、プレゼントと、ＱＲコード付メッセージカードと、送り手から受取人への配送指示書とからなるプレゼントセットは、上記ＱＲコード付メッセージカードの効果に加えて、受取人はプレゼントを受け取る喜びと上記メッセージを受ける二重の喜びを得ることができる。さらに、プレゼントに付けて送る場合に、プレゼントを作る過程を動画メッセージとして送る等することにより、送り手のぬくもり、心使いまで受取人に送ることも可能となる。
【図面の簡単な説明】
【０００９】
【図１】本考案のＱＲコード付メッセージカードの作成方法を示す図である。
【図２】少年がプラカードを持った絵の、ＱＲコードがプラカードに付されている本考案のＱＲコード付メッセージカードを示す図である。
【図３】描かれたサンタクロースが抱えた袋にＱＲコードを付した本考案のＱＲコード付メッセージカードを差し込んだ花束のプレゼントを示す写真である。
【考案を実施するための形態】
【００１０】
以下に、本考案を詳細に説明する。
本考案のＱＲコード付メッセージカードは、メッセージカード本体と、メッセージカード本体に付したＱＲコードとからなる。
（１）メッセージカード本体  
メッセージカード本体は、ＱＲコードが付けられるものであれば特に限定されない。例えば、送り手（差出人）と受取人とを記入できる、ハガキ形式のものでも、絵を描いたカードやしおり形式のものでもよく、また形状も四角形や短冊状のものに限らない。また、厚紙状あるいは薄紙状のものでもよく、メッセージ本体を支柱に付けて旗状にできるものであってもよい。
【００１１】
（２）ＱＲコード
ＱＲコードは、メッセージカード本体に直接プリントしても良いし、ＱＲコードをプリントしたシールあるいはラベルをメッセージカード本体に貼り付けてメッセージカードを作成することもできる。図1に基づいて、本考案で用いるＱＲコードの作成方法を説明する。図1はＱＲコードの作成方法の一例を示すもので、この方法に限定されるものではない。
まず、送り手はメッセージを作成して（工程Ａ）、それをパソコンに取り込む（工程Ｂ）。メッセージについては後述する。また、送り手は、送り手の命を受けて操作する者も含む。パソコンに取り込んだメッセージを、例えば、ＹｏｕＴｕｂｅ等のウエブサーバのウエブページにアップロードする（工程Ｃ）。次に、適当なソフトを使ってアップロードしたウエブページのＵＲＬからＱＲコードを作成する（工程Ｄ）。作成したＱＲコードをラベルにプリントし、ラベルをメッセージ本体に貼り付けたり、あるいはＱＲコードをメッセージカード本体に直接プリントしてＱＲコード付メッセージカードを得る（工程Ｅ）。
【００１２】
図２は、こうして得られたＱＲコード付メッセージカードを示す。本例では縦長な短冊状のプラカードを持った少年の絵が描かれ、プラカードにＱＲコードラベルが貼られている。ＱＲコードはメッセージカード本体のプラカード上にプリントすることもできる。上述したように、ＵＲＬは、非常に長い連続した乱数文字なので、送り手が意図した受取人以外の者は、ＱＲコード付メッセージカードが手元になければ、ＵＲＬを類推してそのＵＲＬにアクセスして当該メッセージを読み取ることは不可能であるので、ＱＲコード付メッセージカードはプライベートな私信としての価値は非常に高い。
【００１３】
（３）メッセージ
メッセージは、送り手から受取人へ宛てたあらゆるメッセージデータを含む。たとえば、レター、メモ形式のメッセージ、写真等の静止イメージ画像や、音声メッセージ、ビデオメッセージ画像等が挙げられる。ＹｏｕＴｕｂｅ等のアップロードサイト（ウエブページ）の容量は動画で１０分、１００ＭＢ等と非常に大きいので、大量のメッセージを送ることができる。動画としては、例えば、誕生日の場合に、「誕生日おめでとう。・・・」とかのビデオ画像等をアップすることができる。なお、特定の受取人は、特定個人のみならず、会社設立あるいは開店祝い等の場合の企業やお店であってもよい。
【００１４】
（４）携帯電話
ここで言う携帯電話は、撮像部を有し、ＱＲコードを撮像し読み込んでＵＲＬを解析し、そのＵＲＬにアクセスして当該ウエブザーバーにある送り手から受取人のメッセージを受信できる機能のあるものであればなんでも良く、電話機能はないが上記機能を有する端末装置も含む。また、当然に、iPhone、スマートフォン等も含む。
【００１５】
（５）プレゼント、プレゼントに付けたＱＲコード付メッセージカードと、送り手から受取人への配送指示書とからなるプレゼントセット
プレゼントは、特定のものに限定されない。例えば、花束、ケーキ、お菓子、果物等、色々なプレゼントをあげることができる。プレゼントと、ＱＲコード付メッセージカードと、送り手から受取人への配送指示書とからプレゼントセットを作成した場合に、特定の送り手から特定の受取人へ確実にプレゼントとＱＲコード付メッセージカードとを送ることができ、特定された受取人のみが、送り手からのメッセージを見ることができる。
【００１６】
プレゼントが花束の場合には、送り手が花屋を訪れ、自ら花を選定し、それを自らまとめて花束にするシーンを花屋が音声と共にビデオ画像に納めて、送り手の代行として花屋がビデオ画像をメッセージとしてYouTube等にアップロードすることもできる。この場合には、従来のように単にメッセージを添えた花束を受ける場合とは異なり、送る人の気持ち、センス、思いやりまで受取人に送ることができ、非常に楽しいハンドメードな贈物とすることができる。図３に、このようにして作成した花束を示す。図において、サンタクロースが袋を抱えた絵が描かれ袋の上にＱＲが付されたメッセージカードを花束にさしている。
【産業上の利用可能性】
【００１７】
上述の本考案に係るＱＲコード付メッセージカードおよびプレゼントセットによれば、アップロードしたウエブページの送り手から受取人へのメッセージを、ウエブページのＵＲＬから得られるＱＲコードを介して、受取人は携帯電話でＱＲコードを撮像部で読み込み解析されたＵＲＬにアクセスしてウエブサーバのウエブページにアップロードされている送り手から受取人へのメッセージを受信することが可能となり、送り手の代わりに代行者がビジネスとして上述のＱＲコード付メッセージカード、プレゼントセットを作成代行することによって、産業の発達に多大なる寄与をするものである。
0003176725.tif 000003
【手続補正書】
【提出日】平成24年3月23日(2012.3.23)
【手続補正１】
【補正対象書類名】実用新案登録請求の範囲
【補正対象項目名】請求項１
【補正方法】変更
【補正の内容】
【請求項１】
メッセージカード本体と、メッセージカード本体に付したＱＲコード（登録商標）とからなるＱＲコード付メッセージカードであって、該ＱＲコードは送り手側でウエブサーバのウエブページに送り手から受取人へのメッセージをアップロードし、アップロードしたウエブページのＵＲＬをＱＲコード化して得られるＱＲコードであり、送り手から送られたＱＲコード付メッセージカードの受取人は携帯電話でＱＲコードを撮像部で読み込み、解析されたＵＲＬにアクセスしてウエブサーバのウエブページにアップロードされている送り手から受取人へのメッセージを受信することを可能とする、ＱＲコード付メッセージカード。
【手続補正書】
【提出日】平成24年5月8日(2012.5.8)
【手続補正１】
【補正対象書類名】明細書
【補正対象項目名】００１１
【補正方法】変更
【補正の内容】
【００１１】
（２）ＱＲコード
ＱＲコードは、メッセージカード本体に直接プリントしても良いし、ＱＲコードをプリントしたシールあるいはラベルをメッセージカード本体に貼り付けてメッセージカードを作成することもできる。図1に基づいて、本考案で用いるＱＲコードの作成方法を説明する。図1はＱＲコードの作成方法の一例を示すもので、この方法に限定されるものではない。
まず、送り手はメッセージを作成して（工程Ａ）、それをパソコンに取り込む（工程Ｂ）。メッセージについては後述する。また、送り手は、送り手の命を受けて操作する者も含む。パソコンに取り込んだメッセージを、例えば、動画アップロードサイト等のウエブサーバのウエブページにアップロードする（工程Ｃ）。次に、適当なソフトを使ってアップロードしたウエブページのＵＲＬからＱＲコードを作成する（工程Ｄ）。作成したＱＲコードをラベルにプリントし、ラベルをメッセージ本体に貼り付けたり、あるいはＱＲコードをメッセージカード本体に直接プリントしてＱＲコード付メッセージカードを得る（工程Ｅ）。
【手続補正２】
【補正対象書類名】明細書
【補正対象項目名】００１３
【補正方法】変更
【補正の内容】
【００１３】
（３）メッセージ
メッセージは、送り手から受取人へ宛てたあらゆるメッセージデータを含む。たとえば、レター、メモ形式のメッセージ、写真等の静止イメージ画像や、音声メッセージ、ビデオメッセージ画像等が挙げられる。動画アップロードサイト等のアップロードサイト（ウエブページ）の容量は動画で１０分、１００ＭＢ等と非常に大きいので、大量のメッセージを送ることができる。動画としては、例えば、誕生日の場合に、「誕生日おめでとう。・・・」とかのビデオ画像等をアップすることができる。なお、特定の受取人は、特定個人のみならず、会社設立あるいは開店祝い等の場合の企業やお店であってもよい。
【手続補正３】
【補正対象書類名】明細書
【補正対象項目名】００１４
【補正方法】変更
【補正の内容】
【００１４】
（４）携帯電話
ここで言う携帯電話は、撮像部を有し、ＱＲコードを撮像し読み込んでＵＲＬを解析し、そのＵＲＬにアクセスして当該ウエブザーバーにある送り手から受取人のメッセージを受信できる機能のあるものであればなんでも良く、電話機能はないが上記機能を有する端末装置も含む。また、当然に、スマートフォン等も含む。
【手続補正４】
【補正対象書類名】明細書
【補正対象項目名】００１６
【補正方法】変更
【補正の内容】
【００１６】
プレゼントが花束の場合には、送り手が花屋を訪れ、自ら花を選定し、それを自らまとめて花束にするシーンを花屋が音声と共にビデオ画像に納めて、送り手の代行として花屋がビデオ画像をメッセージとして動画アップロードサイト等にアップロードすることもできる。この場合には、従来のように単にメッセージを添えた花束を受ける場合とは異なり、送る人の気持ち、センス、思いやりまで受取人に送ることができ、非常に楽しいハンドメードな贈物とすることができる。図３に、このようにして作成した花束を示す。図において、サンタクロースが袋を抱えた絵が描かれ袋の上にＱＲが付されたメッセージカードを花束にさしている。
【手続補正５】
【補正対象書類名】図面
【補正対象項目名】全図
【補正方法】変更
【補正の内容】
【図１】
0003176725.tif 000004
【図２】
0003176725.tif 000005
【図３】
0003176725.tif 000006